(57)【要約】処理基材、悪臭生成組成物、及びインジケータ基材を含む実証装置を使用することによって、消費者製品の悪臭制御効果を視覚的に実証する方法。この方法は、最初に消費者製品及び悪臭生成組成物を処理基材に適用し、続いて、所定の持続時間の間、インジケータ基材を、処理基材に曝露させることを含む。インジケータ基材におけるいかなる視覚的変化の不在も、消費者製品の悪臭制御効果を示す。
2020535418.tif 000002
【特許請求の範囲】
【請求項１】
消費者製品の悪臭制御効果を視覚的に実証するための方法であって、
ａ）消費者製品及び実証装置を提供する工程であって、前記実証装置が、（１）処理基材と、（２）人間が知覚可能な悪臭を特徴とする１つ以上の揮発性化合物を生成することが可能な悪臭生成組成物と、（３）前記１つ以上の流体に曝露されると視覚的変化を生成することが可能なインジケータ基材と、を備える、工程と、
ｂ）同時又は順次のいずれかで、前記処理基材に、前記消費者製品及び前記悪臭生成組成物を適用する工程と、
ｃ）工程（ｂ）の後に、所定の持続時間の間、前記インジケータ基材を、前記処理基材に曝露させる工程と、
ｄ）前記インジケータ基材におけるいかなる視覚的変化も観察する工程であって、視覚的変化の不在が、前記消費者製品の悪臭制御効果を示す、工程と、を含む、方法。
【請求項２】
前記消費者製品が、洗濯洗剤製品、布地強化剤製品、布地消臭剤製品、食器洗浄洗剤製品、硬質界面活性剤洗浄製品、パーソナルクレンジング製品、及びこれらの組み合わせからなる群から選択される、請求項１に記載の方法。
【請求項３】
前記消費者製品が、洗濯洗剤製品、布地強化剤製品、又は布地消臭剤製品であり、前記処理基材が、布地であり、好ましくは前記インジケータ基材が、衣類様の形状又はタオル様の形状を有する、請求項１に記載の方法。
【請求項４】
前記悪臭生成組成物によって生成される前記１つ以上の揮発性化合物が、硫化水素ガスを含み、前記インジケータ基材が、好ましくは酢酸鉛を含む、請求項１〜３のいずれか一項に記載の方法。
【請求項５】
前記悪臭生成組成物が、硫化水素を放出することが可能な細菌を含み、好ましくは前記細菌が、Ｐｒｏｔｅｕｓ種、Ｋｌｅｂｓｉｅｌｌａ  ｐｎｅｕｍｏｎｉａｅ、Ｓｔａｐｈｙｌｏｃｏｃｃｕｓ  ａｕｒｅｕｓ、及びこれらの組み合わせからなる群から選択され、好ましくは前記悪臭生成組成物が、より好ましくはチオ硫酸ナトリウム、システイン、セレノシステイン、メチオニン、及びこれらの組み合わせ又は誘導体からなる群から選択される硫黄含有有機化合物を更に含む、請求項４に記載の方法。
【請求項６】
工程（ｃ）が、閉鎖チャンバ内で実行され、好ましくは、請求項４又は５のいずれか一項に記載の方法。
【請求項７】
基準又は比較製品が提供され、前記実証装置が、追加の処理基材と、前記１つ以上の流体に曝露されると視覚的変化を生成することが同様に可能な追加のインジケータ基材と、を更に備え、前記方法が、
ｅ）同時又は順次のいずれかで、前記追加の処理基材に、前記基準又は比較製品及び前記悪臭生成組成物を適用する工程と、
ｆ）工程（ｅ）の後に、前記所定の持続時間の間、前記追加のインジケータ基材を、前記追加の処理基材に曝露させる工程と、
ｇ）前記追加のインジケータ基材におけるいかなる視覚的変化も、前記インジケータ基材のものと比較する工程であって、視覚的変化が、前記消費者製品のものと比較した、前記基準又は比較製品の相対的な悪臭制御効果を示す、工程と、を更に含む、請求項１〜６のいずれか一項に記載の方法。
【請求項８】
工程（ｃ）及び（ｆ）が、２つの別個の閉鎖チャンバ内で同時に実行される、請求項８に記載の方法。
【請求項９】
経時的な前記視覚的変化が記録され、次いで前記記録が、３０秒以下の持続時間のビデオに圧縮されるか、又は５枚以下の数の複数の写真に抽出される、請求項１〜８のいずれか一項に記載の方法。
【請求項１０】
実証装置であって、
ａ）処理基材と、
ｂ）人間が知覚可能な悪臭を特徴とする１つ以上の揮発性化合物を生成することが可能な悪臭生成組成物と、
ｃ）前記１つ以上の流体に曝露されると視覚的変化を生成することが可能なインジケータ基材と、を備える、実証装置。
【請求項１１】
ｄ）追加の処理基材と、
ｅ）前記１つ以上の流体に曝露されると視覚的変化を生成することが同様に可能な追加のインジケータ基材と、を更に備える、請求項１０に記載の実証装置。
【請求項１２】
洗濯洗剤製品、布地強化剤製品、又は布地消臭剤製品の悪臭制御効果を視覚的に実証するための方法であって、
ａ）実証装置を提供する工程であって、前記実証装置が、（１）布地基材と、（２）硫化水素を生成することが可能な悪臭生成組成物と、（３）酢酸鉛を含有する衣類又はタオル形状のインジケータ基材と、を備える、工程と、
ｂ）同時又は順次のいずれかで、前記布地基材に、前記洗濯洗剤製品、前記布地強化剤製品、又は前記布地消臭剤製品、及び前記悪臭生成組成物を適用する工程と、
ｃ）工程（ｂ）の後に、所定の持続時間の間、閉鎖チャンバ内で、前記衣類又はタオル形状のインジケータ基材を前記布地基材に曝露させる工程と、
ｄ）前記衣類又はタオル形状のインジケータ基材におけるいかなる視覚的変化も観察する工程であって、視覚的変化の不在が、前記洗濯洗剤製品、前記布地強化剤製品、又は前記布地消臭剤製品の悪臭制御効果を示す、工程と、を含む、方法。
【請求項１３】
参照又は比較製品が提供され、前記実証装置が、追加の布地基材と、酢酸鉛を含有する追加の衣類又はタオル形状のインジケータ基材と、を更に備え、前記方法が、
ｅ）同時又は順次のいずれかで、前記追加の布地基材に、前記基準又は比較製品及び前記悪臭生成組成物を適用する工程と、
ｆ）工程（ｅ）の後に、かつ好ましくは工程（ｃ）と同時に、前記所定の持続時間の間、別個の閉鎖チャンバ内で、前記追加の衣類又はタオル形状のインジケータ基材を、前記追加の布地基材に曝露させる工程と、
ｇ）前記追加の衣類又はタオル形状のインジケータ基材におけるいかなる視覚的変化も、前記衣類又はタオル形状のインジケータ基材のものと比較する工程であって、視覚的変化が、前記洗濯洗剤製品、前記布地強化剤製品、又は前記布地消臭剤製品のものと比較した、前記基準又は比較製品の相対的な悪臭制御効果を示す、工程と、を更に含む、請求項１１に記載の方法。
【請求項１４】
実証装置であって、
ａ）布地基材と、
ｂ）硫化水素を生成することが可能な悪臭生成組成物と、
ｃ）酢酸鉛を含む衣類又はタオル形状のインジケータ基材と、を備える、実証装置。
【請求項１５】
ｄ）追加の布地基材と、
ｅ）酢酸鉛を同様に含む追加の衣類又はタオル形状のインジケータ基材と、更に備える、請求項１３に記載の実証装置。
【発明の詳細な説明】
【技術分野】
【０００１】
本発明は、消費者製品の悪臭制御効果を視覚的に実証するための方法及び装置に関する。
【背景技術】
【０００２】
Ｐｒｏｔｅｕｓ種、Ｋｌｅｂｓｉｅｌｌａ  ｐｎｅｕｍｏｎｉａｅ、及びＳｔａｐｈｙｌｏｃｏｃｃｕｓ  ａｕｒｅｕｓなどのある特定の細菌は、布地、カウンタートップ、及び／又は他の家庭用表面上で容易に増殖することができる。これらは、有機物質を分解し、硫化水素及び他の腐敗臭を放つ流体を放出することが知られている。そのような細菌によって経時的に生成される悪臭は、非常に不快であり得る。したがって、そのような布地、カウンタートップ、及び／又は他の家庭用表面を洗浄するための、特にそのような細菌によって生成される悪臭を制御するための様々な消費者製品が、利用可能である。
【０００３】
しかしながら、悪臭の生成には時間を要し、消費者が知覚するには違いが小さすぎ得るため、消費者が異なる消費者製品の悪臭制御有効性を比較することは困難である。利用可能なより高度な悪臭検出デバイス及び方法が存在するが、これらのデバイス及び方法を使用することによって実証される違いは、平均的な消費者が一目で理解するのに十分なほど直感的ではない。
【発明の概要】
【発明が解決しようとする課題】
【０００４】
したがって、消費者製品の悪臭制御効果を視覚的に実証するための、好ましくは、異なる消費者製品によって提供される悪臭制御効果を容易に比較するための方法及び装置が必要とされている。比較結果を、直感的かつ消費者の理解可能な様式で提示することが更に望ましい。
【課題を解決するための手段】
【０００５】
本発明は、消費者製品の悪臭制御効果を視覚的に実証するための方法に関し、方法は、
ａ）消費者製品及び実証装置を提供する工程であって、そのような実証装置が、（１）処理基材と、（２）人間が知覚可能な悪臭を特徴とする１つ以上の揮発性化合物を生成することが可能な悪臭生成組成物と、（３）そのような１つ以上の流体に曝露されると視覚的変化を生成することが可能なインジケータ基材と、を含む、工程と、
ｂ）同時又は順次のいずれかで、処理基材に、消費者製品及び悪臭生成組成物を適用する工程と、
ｃ）工程（ｂ）の後に、所定の持続時間の間、（好ましくは閉鎖チャンバ内で）インジケータ基材を処理基材に曝露させる工程と、
ｄ）インジケータ基材におけるいかなる視覚的変化も観察する工程であって、視覚的変化の不在が、消費者製品の悪臭制御効果を示す、工程と、を含む。
【０００６】
消費者製品は、洗濯洗剤製品、布地強化剤製品、布地消臭剤製品、食器洗浄洗剤製品、硬質界面活性剤洗浄製品、パーソナルクレンジング製品、及びこれらの組み合わせからなる群から選択され得る。
【０００７】
好ましくは、消費者製品は、洗濯洗剤製品、布地強化剤製品、又は布地消臭剤製品であり、処理基材は布地である。より好ましくは、インジケータ基材は、衣類又はタオル様の形状を有する。衣類形状のインジケータ基材は、インジケータ基材における視覚的変化と未処理又は不適切に処理された衣類によって生成される悪臭との間との関連性を理解するのに必要な視覚的合図を、消費者に提供する。
【０００８】
本発明の特に好ましいが必須ではない実施形態では、悪臭生成組成物によって生成される１つ以上の揮発性化合物は、硫化水素ガスを含み、インジケータ基材は、硫化水素ガスに長時間曝露されるとより暗色に変わる酢酸鉛を含む。より好ましくは、悪臭生成組成物は、硫化水素を放出することが可能な細菌を含む。好適な硫化水素生成細菌としては、限定されないが、Ｐｒｏｔｅｕｓ種（例えば、Ｐｒｏｔｅｕｓ  ｖｕｌｇａｒｉｓ、Ｐｒｏｔｅｕｓ  ｍｉｒａｂｉｌｉｓ、Ｐｒｏｔｅｕｓ  ｐｅｎｎｅｒｉなど）、Ｋｌｅｂｓｉｅｌｌａ  ｐｎｅｕｍｏｎｉａｅ、Ｓｔａｐｈｙｌｏｃｏｃｃｕｓ  ａｕｒｅｕｓ、及びこれらの組み合わせが挙げられる。更に、悪臭生成組成物は、硫化水素生成細菌の栄養素として硫黄含有有機化合物を含んでもよい。好適な硫黄含有有機化合物は、チオ硫酸ナトリウム、システイン、セレノシステイン、メチオニン、及びこれらの組み合わせ又は誘導体からなる群から選択することができる。
【０００９】
消費者製品を比較することができる基準又は比較製品を提供することもまた、本発明の望ましい態様である。上述の消費者製品と基準／比較製品との悪臭制御効果の比較を可能にするために、本発明の実証装置は、追加の処理基材と、１つ以上の流体に曝露されると視覚的変化を生成することが同様に可能な追加のインジケータ基材と、を更に備えることができ、本発明の方法は、
ｅ）同時又は順次のいずれかで、追加の処理基材に、基準又は比較製品及び悪臭生成組成物を適用する工程と、
ｆ）工程（ｅ）の後に、所定の持続時間の間、追加のインジケータ基材を、追加の処理基材に曝露させる工程と、
ｇ）追加のインジケータ基材におけるいかなる視覚的変化も、インジケータ基材のものと比較する工程であって、視覚的変化が、消費者製品のものと比較した、基準又は比較製品の相対的な悪臭制御効果を示す、工程と、を更に含み得る。
【００１０】
好ましくは、工程（ｃ）及び（ｆ）は、２つの別個の閉鎖チャンバ内で同時に実行される。この様式で、消費製品と基準／比較製品との間の同時比較が提供される。
【００１１】
本発明はまた、実証装置であって、
ａ）処理基材と、
ｂ）人間が知覚可能な悪臭を特徴とする１つ以上の揮発性化合物を生成することが可能な悪臭生成組成物と、
ｃ）当該１つ以上の流体に曝露されると視覚的変化を生成することが可能なインジケータ基材と、を備える、実証装置に関し得る。
【００１２】
そのような実証装置は、ｄ）追加の処理基材と、ｅ）そのような１つ以上の流体に曝露されると視覚的変化を生成することが同様に可能な追加のインジケータ基材と、を更に備えてもよい。
【００１３】
更なる態様では、本発明は、洗濯洗剤製品の悪臭制御効果を視覚的に実証するための方法であって、
ａ）洗濯洗剤製品及び実証装置を提供する工程であって、そのような実証装置が、（１）布地基材と、（２）硫化水素を生成することが可能な悪臭生成組成物と、（３）酢酸鉛を含有する衣類形状のインジケータ基材と、を備える、工程と、
ｂ）同時又は順次のいずれかで、布地基材に、洗濯洗剤製品及び悪臭生成組成物を適用する工程と、
ｃ）工程（ｂ）の後に、所定の持続時間の間、閉鎖チャンバ内で、衣類形状のインジケータ基材を布地基材に曝露させる工程と、
ｄ）衣類形状のインジケータ基材におけるいかなる視覚的変化も観察する工程であって、視覚的変化の不在が、洗濯洗剤製品の悪臭制御効果を示す、工程と、を含む、方法に関する。
【００１４】
好ましくは必須ではないが、基準又は比較洗濯洗剤製品も提供され、実証装置が、追加の布地基材と、酢酸鉛を含有する追加の衣類形状のインジケータ基材とを更に備える。上述の方法は、
ｅ）同時又は順次のいずれかで、追加の布地基材に、基準又は比較洗濯洗剤製品及び悪臭生成組成物を適用する工程と、
ｆ）工程（ｅ）の後に、かつ好ましくは工程（ｃ）と同時に、所定の持続時間の間、別個の閉鎖チャンバ内で、追加の衣類形状のインジケータ基材を、追加の布地基材に曝露させる工程と、
ｇ）追加の衣類形状のインジケータ基材におけるいかなる視覚的変化も、衣類形状のインジケータ基材のものと比較する工程であって、視覚的変化が、洗濯洗剤製品のものと比較した、基準又は比較洗濯洗剤製品の相対的な悪臭制御効果を示す、工程と、を更に含み得る。
【００１５】
なお更なる態様では、本発明は、
ａ）布地基材と、
ｂ）硫化水素を生成することが可能な悪臭生成組成物と、
ｃ）酢酸鉛を含む衣類形状のインジケータ基材と、を備える、実証装置に関する。
【００１６】
好ましくは必須ではないが、そのような実証装置は、
ｄ）追加の布地基材と、
ｅ）酢酸鉛を同様に含む追加の衣類形状のインジケータ基材と、を更に備える。
【図面の簡単な説明】
【００１７】
【図１Ａ】そのインジケータ基材におけるいずれかの視覚的変化の前の、本発明の一実施形態による実証装置の例示的な図である。
【図１Ｂ】そのインジケータ基材が悪臭流体の存在下で視覚的変化を受けた後の、図１Ａの実証装置の例示的な図である。
【図２Ａ】それらのインジケータ基材のうちのいずれかにおけるいずれかの視覚的変化の前の、本発明の別の実施形態による２つの処理基材及び２つのインジケータ基材を収容する別の実証装置の例示的な図である。
【図２Ｂ】それらのインジケータ基材のうちの１つが悪臭流体の存在下で視覚的変化を受けた後の、図２Ａの実証装置の例示的な図であり、他方のインジケータ基材は視覚的に変化しないままである。
【発明を実施するための形態】
【００１８】
本発明の種々の実施形態の特徴及び利点は、本発明の幅広い表現を与えるように意図される特定の実施形態の例を含む、以下の記述から明らかになるであろう。様々な修正がこの記述及び本発明の実施から当業者には明白となるであろう。この範囲は開示される特定の形態に限定されるようには意図されず、本発明は、特許請求の範囲によって定義されるような本発明の趣旨及び範囲内に含まれる全ての修正、均等物、及び代替物を網羅する。本明細書では、百分率、比、及び割合は全て、特に指定のない限り、組成物の重量による。特に指定のない限り、全ての温度は摂氏（℃）である。
【００１９】
本明細書において使用するとき、「ｔｈｅ」、「ａ」及び「ａｎ」などの冠詞は、特許請求の範囲又は明細書において使用される場合、特許請求又は記載されているものの１つ以上のものを意味すると理解される。
【００２０】
本明細書で使用するとき、用語「含む（include）」、「含む（includes）」及び「含んでいる（including）」は、非限定であることが意図される。
【００２１】
本明細書で使用するとき、用語「閉鎖チャンバ」は、実質的に気密された容器又は空間を意味する。
【００２２】
本発明は、消費者製品の悪臭制御効果を視覚的に実証するための方法を提供する。本明細書で使用するとき、用語「消費者製品」は、通常の販路を介して消費者に販売されているか、又は流通している製品を意味する。好ましくは、消費者製品は、洗濯洗剤製品、食器洗浄洗剤製品、硬質界面活性剤洗浄製品、パーソナルクレンジング製品、及びこれらの組み合わせなどの、人、動物、又は家庭用品を洗浄するために使用することができる洗浄組成物である。より好ましくは、消費者製品は、汚れた物質を洗浄するために設計された洗剤組成物又は配合物である。そのような洗剤組成物としては、限定されないが、洗濯洗浄組成物及び洗剤、布地柔軟化組成物、布地強化剤組成物、布地消臭剤組成物、洗濯予洗い剤、洗濯前処理剤、洗濯添加剤、スプレー製品、ドライクリーニング剤又は組成物、洗濯すすぎ添加剤、洗浄添加剤、すすぎ後布地トリートメント、アイロン助剤、食器洗浄組成物、硬質表面洗浄組成物、単位用量配合物、遅延送達配合物、多孔性基材又は不織シート上又は中に含有される洗剤、及び本明細書の教示を考慮すると当業者には明白であり得る他の好適な形態を挙げることができる。そのような洗剤組成物を、洗濯前処理剤、洗濯後処理剤として使用してもよいか、又は洗濯作業のすすぎ若しくは洗浄サイクル中に添加してもよい。洗浄組成物は、液体、粉末、単相若しくは多相の１回用量、パウチ、錠剤、ゲル、ペースト、バー又はフレークから選択される形態を有することができる。好ましい実施形態では、消費者製品は、布地処理組成物、より好ましくは洗濯洗剤組成物である。
【００２３】
本発明の第１の工程は、（１）処理基材と、（２）人間が知覚可能な悪臭を特徴とする１つ以上の揮発性化合物を生成することが可能な悪臭生成組成物と、（３）そのような１つ以上の流体に曝露されると視覚的変化を生成することが可能なインジケータ基材と、を含む、実証装置を提供することである。
【００２４】
処理基材は、消費者製品、例えば紙、プラスチック、布地などによる処理に好適な任意の材料で作製することができる。例えば、消費者製品が布地処理製品、又は好ましくは洗濯洗剤組成物である場合、処理基材は、布地処理製品によって処理することができる布地、好ましくは洗濯洗剤組成物によって処理することができる洗濯物である。
【００２５】
人間が知覚可能な悪臭を特徴とする揮発性化合物は、気体又は周囲温度及び圧力で蒸発することが可能な固体若しくは液体のいずれかであり得る。好ましくは、アンモニア、メルカプタン、又は硫化水素などの気体である。より好ましくは、悪臭化合物は、硫化水素である。
【００２６】
悪臭生成組成物は、悪臭流体を生成することが可能な任意の細菌種を含有し得る。例えば、細菌種は、Ｐｒｏｔｅｕｓ、Ｋｌｅｂｓｉｅｌｌａ、Ｓｔａｐｈｙｌｏｃｏｃｃｕｓ、Ｃａｍｐｙｌｏｂａｃｔｅｒ、Ｐｓｅｕｄｏｍｏｎａｓ、Ｓａｌｍｏｎｅｌｌａ、Ｄｅｓｕｌｆｕｒｏｍｏｎａｓなどの任意の硫黄還元細菌から選択することができる。本発明の特に好ましい実施形態では、細菌は、Ｐｒｏｔｅｕｓ種（例えば、Ｐｒｏｔｅｕｓ  ｖｕｌｇａｒｉｓ、Ｐｒｏｔｅｕｓ  ｍｉｒａｂｉｌｉｓ、Ｐｒｏｔｅｕｓ  ｐｅｎｎｅｒｉなど）、Ｋｌｅｂｓｉｅｌｌａ  ｐｎｅｕｍｏｎｉａｅ、Ｓｔａｐｈｙｌｏｃｏｃｃｕｓ  ａｕｒｅｕｓ、及びこれらの組み合わせからなる群から選択される。
【００２７】
悪臭流体の一貫した豊富な生成を確実にするために、悪臭生成組成物は、本明細書に上述の硫黄還元細菌の栄養素及び硫黄源として機能する硫黄含有有機化合物を更に含むことも望ましい。硫黄含有有機化合物は、チオ硫酸ナトリウム、システイン、セレノシステイン、メチオニン、及びこれらの組み合わせ又は誘導体からなる群から選択され得る。本明細書で使用するとき、用語「誘導体」としては、限定されないが、システイン、セレノシステイン、メチオニン、及びこれらの組み合わせを含有するポリペプチド及び／又はタンパク質が挙げられる。硫黄含有有機化合物は、硫黄還元細菌との混合物として提供することができる（すなわち、悪臭生成組成物は、単体組成物である）が、硫黄還元細菌とは別個に提供され、別個に処理基材に適用してもよい（すなわち、悪臭生成組成物は、別個に適用することができる２つの独特な部分を含有する）。
【００２８】
悪臭生成組成物中の硫黄還元菌及び硫黄含有有機化合物の特定量は、処理基材の種類及び量に基づいて容易に決定することができる。例えば、処理基材が約１０ｃｍ×１０ｃｍのサイズの布地片であるとき、悪臭生成組成物は、約１０−４〜１０−６ｃｆｕ／ｍｌの細菌レベルを有する１０重量％のシステインを含有する１００μＬの水溶液として提供することができる。
【００２９】
インジケータ基材は、悪臭化合物に曝露されると視覚的変化を呈することができる反応性材料を含有する。例えば、悪臭化合物が硫化水素であるとき、インジケータ基材は、硫化水素と反応して色変化、すなわち、より明るい色から顕著により暗い色への色変化を呈するであろう、酢酸鉛を含有してもよい。反応性材料は、任意の好適な様式でインジケータ基材に組み込むことができる。例えば、水又は有機溶媒中に最初に溶解して水性又は非水性溶液を形成し、次いで、これをインジケータ基材の少なくとも１つの表面上に適用し、その後乾燥させてそのような反応性材料のコーティングを形成することができる。別の例では、好適なコーティング又は印刷技術によって、そのような反応性材料のペースト形態を、インジケータ基材の少なくとも１つの表面上に直接適用してもよい。更に別の例では、そのような反応性材料の粉末若しくは顆粒形態を、接着材料によってインジケータ基材の少なくとも１つの表面上に取り付けるか、又はレーザ衝撃によってインジケータ基材に含浸させてもよい。本発明の好ましいが必須ではない実施形態では、反応材料は、酢酸鉛であり、約５重量％〜約１０重量％の酢酸鉛を含有する水溶液として提供され、浸漬又はスプレーのいずれかによってインジケータ基材に適用される。
【００３０】
インジケータ基材自体は、消費者製品、例えば紙、プラスチック、布地などによる処理に好適な任意の材料で作製することができる。そのようなインジケータ基材において観察される視覚的変化と、論点の消費者製品によって処理される家庭物品又は家庭用品上の細菌によって生成される悪臭との間の直感的な関連付けを、消費者が確立するのを助けるために、インジケータ基材は、処理される家庭物品又は家庭用品として成形されることが好ましい。例えば、論点の消費者製品が洗濯洗剤製品であるとき、それによって処理される家庭物品又は家庭用品は、衣類などの洗濯物である可能性が高い。したがって、インジケータ基材を、例えば、Ｔシャツ、ドレス、パンツ若しくはショーツなどの衣類様の形状、又はタオル様の形状に成形することが望ましい。そのようなインジケータ基材の形状は、観察される視覚的変化（すなわち、硫化水素の存在下では暗色に変わる酢酸鉛）と消費者製品に関連する効果（すなわち、布地悪臭制御）との間の直感的な関連付けを、消費者が確立するのを助けるのに特に重要である。
【００３１】
その後、消費者製品及び悪臭生成組成物は、同時又は順次のいずれかで、処理基材に適用される。本発明の特定の一実施形態では、処理基材は、最初に消費者製品によって処理され、次いで、硫黄還元細菌及び硫黄含有有機化合物の両方を含有する悪臭生成組成物が処理基材に適用される。本発明の別の特定の実施形態では、悪臭生成組成物の硫黄還元細菌部分は、最初に処理基材に適用され、次いでこれは消費者製品によって処理され、続いて悪臭生成組成物の硫黄含有有機化合物部分が適用される。更に別の特定の実施形態では、処理基材は、消費者製品によって処理され、同時に、硫黄還元細菌及び硫黄含有有機化合物の両方を含有する悪臭生成組成物が処理基材に適用される。
【００３２】
処理基材が消費者製品によって処理され、並びに悪臭生成組成物と共に適用されると、本明細書で上述の反応性材料を含有するインジケータ基材は、好ましくは閉鎖チャンバ内で、インジケータ基材中の反応性材料が悪臭生成組成物によって生成されるいずれの悪臭化合物とも完全に反応することを可能にするのに十分な長さである所定の持続時間の間、処理基材に曝露される。好ましくは、閉鎖チャンバ内の温度は、細菌増殖に好適であるレベル、例えば、約２０℃〜約４０℃、好ましくは約３５℃〜約３７℃に調節される。所定の持続時間は、約４時間〜約４８時間、好ましくは約６時間〜約２４時間、より好ましくは約８時間〜約１２時間の範囲であり得る。
【００３３】
処理基材が消費者製品によって処理された後に、悪臭生成組成物が依然として十分な悪臭化合物を生成することが可能である場合、インジケータ基材は、消費者製品が悪臭を制御するのに有効でないか、又は十分に有効でないことを示す目視可能な変化を呈するであろう。一方、インジケータ基材が任意の目視可能な変化を呈さない場合、処理基材が消費者製品によって処理された後に、悪臭生成組成物が十分な悪臭化合物を生成することができないことを意味し、これは、消費者製品が悪臭を制御するのに有効であることを示す。そのような視覚的変化は、瞬時に発生し得るか、又は長い持続時間、例えば、約４時間〜約４８時間、好ましくは約６時間〜約２４時間、より好ましくは約８時間〜約１２時間にわたり徐々に発生し得る。したがって、ビデオレコーダ又はカメラを使用して、そのような経時的な視覚的変化を記録することも望ましく、次いで、記録を、各々特定の時点で視覚的変化の段階を示す３０秒以下の持続時間のビデオに圧縮してもよいか、又は５枚以下の数の複数の写真に抽出してもよい。
【００３４】
図１Ｂは、本発明の一実施形態による実証装置１０の例示的な図である。実証装置１０は、布地基材１２と、紙又は布地のいずれかによって作製することができるＴシャツ形状のインジケータ基材１４とを収容する。布地基材１２は、最初に洗濯洗剤製品、布地強化剤製品、又は布地消臭剤製品（図示せず）で処理されており、次いで、Ｋｌｅｂｓｉｅｌｌａ  ｐｎｅｕｍｏｎｉａｅ細菌及びＬ−システインの両方を含有する悪臭生成組成物（図示せず）が布地基材１２に適用される。一方、Ｔシャツ形状のインジケータ基材１４は、酢酸鉛（図示せず）のコーティングが適用される。次に、布地基材１２及びＴシャツ形状のインジケータ基材１４の両方が、閉鎖チャンバ１８の内側に配置され、Ｔシャツ形状のインジケータ基材１４は、布地基材１２の上方に位置する。
【００３５】
図１Ｂは、布地基材１２及びＴシャツ形状のインジケータ基材１４が、閉鎖チャンバ１８の内側に、布地基材１２中のＫｌｅｂｓｉｅｌｌａ  ｐｎｅｕｍｏｎｉａｅ細菌がＬ−システイン栄養素を分解して硫化水素ガス、すなわち、点線で示される悪臭化合物又は「ＭＦ」を生成し、次に、Ｔシャツ形状のインジケータ基材１４上の酢酸鉛コーティングと反応するのに十分である、例えば８又は１２時間の長期間の間、配置された後の図１Ａの実証装置１０を示している。それに対応して、Ｔシャツ形状のインジケータ基材１４は、目視可能な色変化を受ける、すなわち、硫化水素ガスと酢酸鉛との間の反応に起因して、より暗色に変わる。この色変化は、布地基材１２を処理するために使用された洗濯洗剤製品、布地強化剤製品、又は布地消臭剤製品が、Ｋｌｅｂｓｉｅｌｌａ  ｐｎｅｕｍｏｎｉａｅ細菌の増殖を抑制／防止し、硫化水素ガスの生成を制御するのに既に有効ではないという指標である。消費者は、そのような色変化を見ると、布地基材１２を処理するために使用された洗濯洗剤製品、布地強化剤製品、又は布地消臭剤製品が悪臭生成を制御するのに有効でない、という概念を直感的に把握することができる。
【００３６】
図２Ａは、本発明の別の実施形態による別の実証装置２０の例示的な図である。実証装置２０は、２つの布地基材２２及び３２、並びに２つのＴシャツ形状のインジケータ基材２４及び３４を収容する。第１の布地基材２２は、最初に洗濯洗剤製品、布地強化剤製品、又は布地消臭剤製品（図示せず）で処理されており、次いで、Ｋｌｅｂｓｉｅｌｌａ  ｐｎｅｕｍｏｎｉａｅ細菌及びＬ−システインの両方を含有する悪臭生成組成物（図示せず）が第１の布地基材２２に適用される。第２の布地基材３２は、最初に基準又は比較製品（図示せず）で処理されており、次いで、Ｋｌｅｂｓｉｅｌｌａ  ｐｎｅｕｍｏｎｉａｅ細菌及びＬ−システインの両方を含有する同じ悪臭生成組成物（図示せず）が第２の布地基材３２に適用される。一方、Ｔシャツ形状のインジケータ基材２４及び３４の両方には、酢酸鉛（図示せず）が適用されている。
【００３７】
次に、第１の布地基材２２及び第１のＴシャツ形状のインジケータ基材２４は、左側の第１の閉鎖チャンバ２８の内側に配置され、第１のＴシャツ形状のインジケータ基材２４は第１の布地基材２２の上方に位置する。同時に又は直前／直後に、第２の布地基材３２及び第２のシャツ形状のインジケータ基材３４は、右側の第２の閉鎖チャンバ３８内に配置され、第２のＴシャツ形状のインジケータ基材３４は、第２の布地基材３２の上方に位置する。
【００３８】
図２Ｂは、両方の布地基材２２、２４及び両方のＴシャツ形状のインジケータ基材２４、３４が、閉鎖チャンバ２８及び３８の内側に、例えば８時間又は１２時間の長期間の間配置された後の図１Ａの実証装置２０を示す。洗濯洗剤組成物によって処理されている第１の布地基材２２中のＫｌｅｂｓｉｅｌｌａ  ｐｎｅｕｍｏｎｉａｅ細菌は、顕著に増殖してＬ−システイン栄養素を分解すること、及び十分な硫化水素ガスを生成して、第１のＴシャツ形状のインジケータ基材２４上の酢酸鉛をより暗い色に変えることができない。第１のＴシャツ形状のインジケータ基材２４におけるこの色変化の不在は、第１の布地基材２２を処理するために使用された洗濯洗剤製品、布地強化剤製品、又は布地消臭剤製品が、Ｋｌｅｂｓｉｅｌｌａ  ｐｎｅｕｍｏｎｉａｅ細菌の増殖を抑制／予防し、硫化水素ガスの生成を制御するのに有効であることの指標である。対照的に、基準又は比較製品によって処理されている第２の布地基材３２内のＫｌｅｂｓｉｅｌｌａ  ｐｎｅｕｍｏｎｉａｅ細菌は、顕著に増殖してＬ−システイン栄養素を分解すること、及び十分な硫化水素ガス、すなわち、点線で示される悪臭化合物又は「ＭＦ」を生成して、第２のＴシャツ形状のインジケータ基材３４上の酢酸鉛と反応することが可能である。それに対応して、第２のＴシャツ形状のインジケータ基材３４は、目視可能な色変化を受ける、すなわち、硫化水素ガスと酢酸鉛との間の反応に起因して、より暗色に変わる。この色変化は、第２の布地基材３２を処理するために使用された基準又は比較製品が、Ｋｌｅｂｓｉｅｌｌａ  ｐｎｅｕｍｏｎｉａｅ細菌の増殖を抑制／防止し、硫化水素ガスの生成を制御するのに既に有効ではないという指標である。消費者は、そのような横に並べた比較を見ると、左側の第１の布地基材２２を処理するために使用された洗濯洗剤製品、布地強化剤製品、又は布地消臭剤製品左側の布地改良剤製品が、悪臭生成の制御に有効であり、右側の第２の布地基材３２を処理するために使用された基準／比較製品が、悪臭生成を制御するのに有効ではない、という概念を直感的に把握することができる。
【００３９】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００４０】
相互参照される又は関連する全ての特許又は特許出願、及び本願が優先権又はその利益を主張する任意の特許出願又は特許を含む、本願に引用される全ての文献は、除外又は限定することを明言しない限り、参照によりその全体が本明細書に組み込まれる。いかなる文献の引用も、本明細書中で開示若しくは特許請求される任意の発明に対する先行技術であるとはみなされず、又はそれを単独で若しくは他の任意の参考文献（単数又は複数）と組み合わせたときに、そのような発明全てを教示、示唆若しくは開示するとはみなされない。更に、本文書における用語の任意の意味又は定義が、参照により組み込まれた文献内の同じ用語の意味又は定義と矛盾する場合、本文書におけるその用語に与えられた意味又は定義が適用されるものとする。
【００４１】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１Ａ】
2020535418.tif 000003
【図１Ｂ】
2020535418.tif 000004
【図２Ａ】
2020535418.tif 000005
【図２Ｂ】
2020535418.tif 000006
【国際調査報告】
2020535418.tif 000007
2020535418.tif 000008